(57)【特許請求の範囲】
【請求項１】
オーディオ機能を有するデジタルカメラであって、
画像の記録再生を行うカメラ本体であって、当該カメラ本体に着脱可能な第１記録媒体に対するデータの書き込みおよび読み出しを行う第１記録媒体制御部を有するカメラ本体と、
オーディオ操作およびカメラ操作が可能なリモコンであって、オーディオ操作モードとカメラ操作モードとに切替可能で、前記オーディオ操作モードにおいてオーディオ操作に使われ、前記カメラ操作モードにおいてカメラ操作に使われる少なくとも一つの共通操作部材と、前記リモコンに着脱可能な第２記録媒体に対するデータの書き込みおよび読み出しを行う第２記録媒体制御部とを有するリモコンと
を備え、
前記カメラ操作モードおいて、前記第１記録媒体制御部または前記第２記録媒体制御部を介して、前記第１記録媒体および前記第２記録媒体のいずれへも画像データを記録可能であり、
前記第１記録媒体および前記第２記録媒体が装着されている場合に、前記リモコンが前記オーディオ操作モードのとき、前記第２記録媒体を自動的に選択して使用し、前記リモコンが前記カメラ操作モードのとき、前記第１記録媒体を自動的に選択して使用し、
前記第１記録媒体が装着されておらず、前記第２記録媒体が装着されている場合に、前記リモコンが前記カメラ操作モードのとき、前記第２記録媒体を使用し、
前記第１記録媒体が装着されており、前記第２記録媒体が装着されていない場合に、前記リモコンが前記オーディオ操作モードのとき、前記第１記録媒体を使用する
デジタルカメラ。
【請求項２】
前記オーディオ操作モードにおいて、前記第１記録媒体制御部または前記第２記録媒体制御部を介して、前記第１記録媒体および前記第２記録媒体のいずれからも音声データまたは音楽データを読み出し可能な
請求項１に記載のデジタルカメラ。
【請求項３】
前記リモコンは、
前記共通操作部材として機能する撮像スイッチ
を有し、
前記カメラ操作モードにおいて前記撮像スイッチが押下されることで撮像が行われ、
前記オーディオ操作モードにおいて前記撮像スイッチが押下されることで音楽再生が行われる
請求項１または請求項２に記載のデジタルカメラ。
【請求項４】
前記撮像スイッチは、二段階押し込み構造になっており、中途押下状態および最終押下状態の２つの状態において作動し、
前記カメラ操作モードにおいて、前記中途押下状態で記録品質調整処理が行われ、前記最終押下状態で画像データの取り込みが行われ、
前記オーディオ操作モードにおいて、前記中途押下状態で音声データまたは音楽データの再生が行われ、前記中途押下状態で音声データまたは音楽データの一時停止が行われる
請求項３に記載のデジタルカメラ。
【請求項５】
前記カメラ本体は、
前記リモコンの装着を検知するリモコン装着検知部
を有し、
前記リモコン装着検知部が前記リモコンの装着を検知すると、前記リモコンが前記カメラ操作モードに自動的に切り替わり、前記リモコンが装着されていないときには、前記リモコンが前記オーディオ操作モードに自動的に切り替わる
請求項１乃至請求項４のいずれかに記載のデジタルカメラ。
【請求項６】
前記リモコン装着検知部が前記リモコンの装着を検知すると、前記リモコンがカメラ操作モード専用になり、前記リモコンが装着されていないときには、前記リモコンがオーディオ操作モード専用になる
請求項５に記載のデジタルカメラ。
【請求項７】
前記カメラ本体が前記リモコンによってワイヤレスで操作可能な
請求項１乃至請求項６のいずれかに記載のデジタルカメラ。
【請求項８】
前記カメラ本体と前記リモコンとの間が、ケーブルによって接続されている
請求項１乃至請求項６のいずれかに記載のデジタルカメラ。
【請求項９】
前記第１記録媒体と前記第２記録媒体との間で、データの転送が可能な
請求項１乃至請求項８のいずれかに記載のデジタルカメラ。
【請求項１０】
前記第２記録媒体は、前記第１記録媒体に比べて小型である
請求項１乃至請求項９のいずれかに記載のデジタルカメラ。
【請求項１１】
前記第１記録媒体は、前記第２記録媒体より容量が大きく、
前記第２記録媒体のデータを前記第１記録媒体に転送することにより、データをバックアップする
請求項１乃至請求項１０のいずれかに記載のデジタルカメラ。
【請求項１２】
前記カメラ本体は、
カメラ本体用の第１電源
を有し、
前記リモコンは、
リモコン用の第２電源
を有し、
前記リモコンを前記カメラ本体に装着したときに、前記第１電源から前記第２電源へ充電できる
請求項１乃至請求項１１のいずれかに記載のデジタルカメラ。
【発明の詳細な説明】
【０００１】
【発明の属する技術分野】
本発明は、オーディオ機能搭載デジタルカメラに関する。特に本発明は、リモコンでオーディオ操作と、カメラ操作の両方が可能なデジタルカメラに関する。
【０００２】
【従来の技術】
携帯用オーディオ機本体に取り付け可能なリモコンが考案されている。実開平６−５２０９５号公報、特開平７−３２６８７１号公報、および特開平７−３２６８７２号公報は、リモコンが着脱可能な携帯用オーディオ機器を開示する。
【０００３】
デジタルカメラについては、複数のメモリカードが搭載されたデジタルカメラ機種が考案されている。特開平１０−５１７２３号公報、特開平５−４９０００号公報、および特開平５−９１４５５号公報は、複数のメモリカードを有するデジタルカメラを開示する。
【０００４】
さらにデジタルカメラについては、オーディオ機能を備えた機種が考案されている。
【０００５】
【発明が解決しようとする課題】
デジタルカメラにオーディオ機能を搭載した機器をリモコンで操作しようとすると、オーディオ機能を操作するのに必要な操作部材と、デジタルカメラ機能を操作する操作部材とが必要になる。このためリモコンのサイズが大型化し、コストアップになる。また、リモコンをデジタルカメラ本体に取り付けたときに、使い勝手が悪くなる。一方、記録媒体を複数搭載した場合には、リモコン付デジタルカメラの利便性が考慮されていない。
【０００６】
そこで本発明は、上記の課題を解決することのできるオーディオ機能搭載デジタルカメラを提供することを目的とする。この目的は特許請求の範囲における独立項に記載の特徴の組み合わせにより達成される。また従属項は本発明の更なる有利な具体例を規定する。
【０００７】
【課題を解決するための手段】
即ち、本発明の第１の形態によると、オーディオ機能を有するデジタルカメラであって、画像および音声の記録再生を行うカメラ本体と、オーディオ操作とカメラ操作が可能なリモコンとを備え、リモコンが、オーディオ操作モードとカメラ操作モードとに切替可能で、オーディオ操作モードにおいてオーディオ操作に使われ、カメラ操作モードにおいてカメラ操作に使われる少なくとも一つの共通操作部材を有する。
【０００８】
リモコンが、カメラ操作モードではカメラ用の撮像スイッチとして機能し、オーディオ操作モードではオーディオ操作用スイッチとして機能する共通操作部材を有してもよい。
【０００９】
リモコンが、カメラ本体に取付可能であり、カメラ本体取付時に、カメラ本体のファインダ接眼方向から見て右上の位置に配置されてもよい。
【００１０】
リモコンが、カメラ本体に取り付けられたとき、ファインダがある面からみて上面右の位置に配置される、カメラ操作モードにおいてシャッタボタンとして機能する共通操作部材を有してもよい。
【００１１】
リモコンが、カメラ本体が異なる姿勢にあるとき、同じ操作姿勢で操作可能な位置にカメラ本体に取り付け可能でもよい。
【００１２】
リモコンが、縦長の構図の写真を撮るときにおけるカメラ本体のファインダ接眼方向から見て右上の位置に取り付け可能でもよい。
【００１３】
リモコンが、ヘッドホン端子を備え、リモコンがカメラ本体に取り付けられたとき、ヘッドホン端子が、外部に露出する位置に設けられてもよい。
【００１４】
カメラ本体が、リモコンの装着を検知するリモコン装着検知部を有してもよい。
【００１５】
リモコン装着検知部がリモコンの装着を検知すると、リモコンがカメラ操作モードに自動的に切り替わり、リモコンが装着されていないときには、リモコンがオーディオ操作モードに自動的に切り替わってもよい。
【００１６】
リモコン装着検知部がリモコンの装着を検知すると、リモコンがカメラ操作モード専用になり、リモコンが装着されていないときには、リモコンがオーディオ操作モード専用になってもよい。
【００１７】
カメラ本体がリモコンによってワイヤレスで操作可能でもよい。カメラ本体とリモコンとの間が、ケーブルによって接続されていてもよい。
【００１８】
オーディオ機能を有するデジタルカメラであって、画像および音声の記録再生を行うカメラ本体と、オーディオ操作とカメラ操作が可能なリモコンとを備え、カメラ本体が着脱可能な第１記録媒体を有し、リモコンが着脱可能な第２記録媒体を有してもよい。
【００１９】
第２記録媒体が、第１記録媒体より小さくてもよい。第２記録媒体の容量が、第１記録媒体の容量より小さくてもよい。
【００２０】
第１記録媒体、または第２記録媒体のどちらかが装着されていないときに、装着されている記録媒体を使用することを特徴とするに記載のデジタルカメラ。
【００２１】
第１記録媒体に比べて、第２記録媒体の着脱が容易であることを特徴とするに記載のデジタルカメラ。
【００２２】
カメラ本体に、第１記録媒体を挿入可能なスロットが設けられ、スロットの開口部に蓋が設けられてもよい。
【００２３】
第１記録媒体および第２記録媒体が装着されている場合に、リモコンがオーディオ操作モードのとき、第２記録媒体を自動的に選択して使用し、リモコンがカメラ操作モードのとき、第１記録媒体を自動的に選択して使用してもよい。
【００２４】
第１記録媒体と、第２記録媒体との間で、データの転送が可能でもよい。
【００２５】
カメラ本体がカメラ本体用の第１電源を有し、リモコンがリモコン用の第２電源を有し、リモコンをカメラ本体に装着したときに、第１電源から第２電源へ充電できてもよい。
【００２６】
なお上記の発明の概要は、本発明の必要な特徴の全てを列挙したものではなく、これらの特徴群のサブコンビネーションも又発明となりうる。
【００２７】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２８】
図１は、本発明の実施形態に係るデジタルカメラの全体の構成を示す。本実施形態のデジタルカメラ１０は、静止画の撮像の他に、動画および音声の記録再生を行うことができる。デジタルカメラ１０は、カメラ本体１１とリモコン１３を有する。カメラ本体１１は、主に撮像ユニット２０、音声取得ユニット１３０、制御ユニット４０、処理ユニット６０、表示ユニット１００、および本体操作ユニット１１０を含む。
【００２９】
（カメラ本体）
撮像ユニット２０は、撮影および結像に関する機構部材および電気部材を含む。撮像ユニット２０はまず、映像を取り込んで処理を施す撮影レンズ２２、絞り２４、シャッタ２６、光学ＬＰＦ（ローパスフィルタ）２８、ＣＣＤ３０、および撮像信号処理部３２を含む。撮影レンズ２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００３０】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００３１】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００３２】
撮像ユニット２０はさらに、ファインダ３４とストロボ３６を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。
【００３３】
音声取得ユニット１３０は、外界の音声を取得するための機構部材および電気部材を含む。音声取得ユニット１３０は、音声を取り込んで処理を施すマイクロホン１３２および音声信号処理部１３４を含む。音声信号処理部１３４は、マイクロホン１３２が取り込んだ音声信号を必要なタイミングで順次Ａ／Ｄ変換し、その結果得られた音声データ（以下単に「デジタル音声データ」とよぶ）を処理ユニット６０へ出力する。音声信号処理部１３４は、ノイズを軽減するための処理や、音声レベルを調整する処理を行っても良い。
【００３４】
制御ユニット４０は、ズーム駆動部４２、フォーカス駆動部４４、絞り駆動部４６、シャッタ駆動部４８、それらを制御する制御系ＣＰＵ５０、測距センサ５２、および測光センサ５４をもつ。ズーム駆動部４２などの駆動部は、それぞれステッピングモータ等の駆動手段を有する。後述の撮像スイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は制御系ＣＰＵ５０へ送られる。制御系ＣＰＵ５０は、ユーザから指示されたズーム倍率等の撮影情報に基づき、ズーム駆動部４２とフォーカス駆動部４４を制御して撮影レンズ２２のズーム倍率とピントの調整を行う。
【００３５】
制御系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００３６】
制御系ＣＰＵ５０はまた、測光データに基づいてストロボ３６の発光を制御し、同時に絞り２４の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００３７】
処理ユニット６０は、デジタルカメラ１０全体、とくに処理ユニット６０自身を制御するメインＣＰＵ６２と、これによって制御されるメモリ制御部６４、ＹＣ処理部７０、第１記録媒体制御部７４、圧縮伸張処理部７８、通信Ｉ／Ｆ部８０、音声出力部９４を有する。メインＣＰＵ６２は、シリアル通信などにより、制御系ＣＰＵ５０との間で必要な情報をやりとりする。メインＣＰＵ６２の動作クロックは、クロック発生器８８から与えられる。クロック発生器８８は、制御系ＣＰＵ５０、表示ユニット１００に対してもそれぞれ異なる周波数のクロックを提供する。
【００３８】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００３９】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザーによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０および音声取得ユニット１３０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００４０】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、第１記録媒体制御部７４を介して第１記録媒体７６の一種であるメモリカードへ書き込まれる。
【００４１】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。第１記録媒体７６に記録されたデータからビデオ信号を生成する場合、そのデータはまず第１記録媒体制御部７４を介して圧縮伸張処理部７８へ与えられる。つづいて、圧縮伸張処理部７８で必要な伸張処理が施されたデータはエンコーダ７２によってビデオ信号へ変換される。
【００４２】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としてもよい。
【００４３】
音声出力部９４は、メインメモリ６８または第１記録媒体７６から読み出された音声データを、スピーカー９８または後述するヘッドホン接続端子９６を介して外部へ出力するための処理を行う。具体的には、Ｄ／Ａ変換処理、伸張処理、増幅処理などが行われる。これらの処理の一部または全てがメインＣＰＵ６２で行われても良い。
【００４４】
表示ユニット１００は、ＬＣＤモニタ１０２を有する。ＬＣＤモニタ１０２ははＬＣＤドライバであるモニタドライバ１０６によってそれぞれ制御される。ＬＣＤモニタ１０２は、例えば２インチ程度の大きさでカメラ背面に設けられ、被写体画像、または再生画像を表示する。
【００４５】
本体操作ユニット１１０は、カメラ本体１１およびリモコン１３の電源のオンオフを決めるパワースイッチ１１２を有する。なお、本体操作ユニット１１０は、デジタルカメラ１０の動作やそのモードなどを設定または指示するために必要な機構および電気部材を含んでもよい。
【００４６】
第１記録媒体制御部７４は、第１記録媒体７６に認められる信号仕様およびメインバス８２のバス仕様にしたがい、メインバス８２と第１記録媒体７６の間で必要な信号の生成、論理変換、または電圧変換などを行う。第１記録媒体７６として、メモリカードなどの外部記憶装置が接続されたときには、データの書き込みおよび読み出しは、同一のデータバスを介して行われても良い。このとき第１記録媒体制御部７４の一例としての外部記憶装置制御部が、同一のデータバスを介してデータの書き込みおよび読み出しを行うための制御を行う。デジタルカメラ１０は第１記録媒体７６として前述のメモリカードのほかに、例えばＰＣＭＣＩＡ準拠の標準的なＩ／Ｏカードをサポートしてもよい。その場合には第１記録媒体制御部７４は、ＰＣＭＣＩＡ用バス制御ＬＳＩなどで構成してもよい。
【００４７】
（リモコン）
リモコン１３は、リモコンＣＰＵ６３、パネルドライバ１０８、ＬＣＤパネル１０４、第２記録媒体制御部１４４、第２記録媒体装置１４６、ヘッドホン接続端子９６、および後述するリモコン操作ユニット１１１を有する。
【００４８】
リモコンＣＰＵ６３は、リモコン１３操作に関する制御を行う。ヘッドホン接続端子９６にはヘッドホンが接続可能である。ヘッドホン接続端子９６を介して、音声出力部９４によって出力された音声データがヘッドホンに出力される。
【００４９】
ＬＣＤパネル１０４は、パネルドライバ１０８により制御される。ＬＣＤパネル１０４は例えば小さな白黒ＬＣＤで設けられ、画質（ＦＩＮＥ／ＮＯＲＭＡＬ／ＢＡＳＩＣなど）、ストロボ発光／発光禁止、標準撮影可能枚数、画素数、電池容量、現在の操作モード（カメラ操作モードまたはオーディオ操作モード）、撮影や再生のズーム倍率、現在のモード（画像または音楽再生モード）、電池残量、日時などの情報を簡易的に表示する。
【００５０】
第２記録媒体制御部１４４は、第２記録媒体１４６に認められる信号仕様およびメインバス８２のバス仕様にしたがい、メインバス８２と第２記録媒体１４６の間で必要な信号の生成、論理変換、または電圧変換などを行う。第２記録媒体１４６として、メモリカードなどの外部記憶装置が接続されたときには、データの書き込みおよび読み出しは、同一のデータバスを介して行われても良い。このとき第２記録媒体制御部１４４の一例としての外部記憶装置制御部が、同一のデータバスを介してデータの書き込みおよび読み出しを行うための制御を行う。デジタルカメラ１０は第２記録媒体１４６として前述のメモリカードのほかに、メモリスティックをサポートしてもよい。
【００５１】
第２記録媒体１４６および第１記録媒体のデータは、メインバス８２を介して、相互に転送可能である。
【００５２】
第２記録媒体１４６は、第１記録媒体７６に比べて小型でもよい。これにより、リモコン１３サイズが小型化でき、携帯性が向上する。
【００５３】
第１記録媒体７６は、第２記録媒体より容量が大きくてもよい。これにより、第２記録媒体のデータを第１記録媒体に転送することにより、データのバックアップが可能になる。
【００５４】
図２は、リモコン１３が有するリモコン操作ユニット１１１の構成を示す。リモコン操作ユニット１１１は、ユーザーがカメラ本体１１およびリモコン１３の動作やそのモードなどを設定または指示するために必要な機構および電気部材を含む。リモコン１３により、カメラ操作およびオーディオ操作が可能である。
【００５５】
リモコン操作ユニット１１１は、撮像スイッチ１１４、ズームスイッチ１１８、機能設定部１１６、およびデータ選択スイッチ１１９を有する。これらのスイッチは、カメラ操作モードとオーディオ操作モードとで異なる操作に用いられる共通操作部材として機能してもよい。
【００５６】
リモコン１３による操作は、回転式のモードダイヤルや十字キーなどを含む機能設定部１１６によりカメラ操作モードとオーディオ操作モードとに切り替えが可能である。
【００５７】
カメラ操作モードにおいては、撮像スイッチ１１４は、二段階押し込み構造になっていて、中途押下状態および最終押下状態の２つの状態においてそれぞれ作動する２つのスイッチを含む。一例として、中途押下状態で、自動フォーカス、自動露出などの記録品質調整処理が行われる。続いて最終押下状態で画像、音声などの情報の取込が行われる。そして、必要な信号処理、データ圧縮等の後、メインメモリ６８、第１記録媒体７６等に記録される。機能設定部１１６は、カメラ操作モードと、オーディオ操作モードとの切り替えの他に、画像再生モードや画像撮像モード等の設定を受け付けてもよい。ズームスイッチ１１８は、ズーム倍率を決める。リモコン操作ユニット１１１で指定できる動作または機能の例として、「ファイルフォーマット」、「特殊効果」、「印画」、「決定／保存」、「表示切換」等がある。データ選択スイッチ１１９は、オーディオ操作モードにおいては、音声情報を再生するための操作を可能にし、カメラ操作モードにおいては、動画情報を再生するための操作を可能にする。
【００５８】
一方、オーディオ操作モードにおいては、撮像スイッチ１１４の最終押下状態において音楽再生が行われ、中途押下状態で一時停止となる。ズームスイッチ１１８は、音楽の音量調整に用いられる。データ選択スイッチ１１９は、曲目の選択に用いられる。
【００５９】
図３は、リモコン操作ユニット１１１が有する共通操作部材の、オーディオ操作モードおよびカメラ操作モードにおける機能の例を示す。撮像スイッチ１１４は、カメラ操作モードにおいては、シャッタ操作全般の機能を有し、オーディオ操作モードにおいては、音楽の再生、停止、およびポーズを行う部材として機能する。ズームスイッチ１１８は、カメラ操作モードにおいては、撮像画像のズーム操作の機能を有し、オーディオ操作モードにおいては、音量調整を行う部材として機能する。データ選択スイッチ１１９は、カメラ操作モードにおいては、再生画像のコマ送りおよびコマ戻しの機能を有し、オーディオ操作モードにおいては、曲目の送りおよび戻しを行う部材として機能する。このように、カメラ操作モードとオーディオ操作モードとにおいて、共通の部材に異なる操作をさせることによりリモコン１３の小型化が可能になり、携帯性が向上する。
【００６０】
以上の構成による主な動作は以下のとおりである。
【００６１】
まずデジタルカメラ１０のパワースイッチ１１２がオンされ、カメラ各部に電力が供給される。デジタルカメラ１０は機能設定部１１６で設定された、カメラ操作モードまたはオーディオ操作モードに応じた処理を行う。
【００６２】
（カメラ操作モード）
デジタルカメラ１０が静止画撮影に使用されるとき、メインＣＰＵ６２は撮像スイッチ１１４の半押し状態を監視する。半押し状態が検出されたとき、メインＣＰＵ６２は測光センサ５４および測距センサ５２からそれぞれ測光データと測距データを得る。得られたデータに基づいて制御ユニット４０が動作し、撮影レンズ２２のピント、絞りなどの調整が行われる。調整が完了すると、ＬＣＤモニタ１０２に「スタンバイ」などの文字を表示してユーザーにその旨を伝え、つづいて撮像スイッチ１１４の全押し状態を監視する。撮像スイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け第１記録媒体制御部７４を経由し第１記録媒体７６へ記録される。記録された画像は、フリーズされた状態でしばらくＬＣＤモニタ１０２に表示され、ユーザーは撮影画像を知ることができる。以上で一連の撮影動作が完了する。
【００６３】
デジタルカメラ１０が静止画再生に使用されるとき、メインＣＰＵ６２は、メモリ制御部６４を介してメインメモリ６８から最後に撮影した画像を読み出し、これを表示ユニット１００のＬＣＤモニタ１０２へ表示する。この状態でユーザーがデータ選択スイッチ１１９にて「順送り」、「逆送り」を指示すると、現在表示している画像の前後に撮影された画像が読み出され、ＬＣＤモニタ１０２へ表示される。
【００６４】
デジタルカメラ１０が動画撮影に使用されるとき、メインＣＰＵ６２は、撮像スイッチ１１４の中途押下状態を監視する。中途押下状態が検出されたとき、メインＣＰＵ６２は前述の静止画撮影モードのときと同様に記録品質調整処理を行う。このとき、同時に音声レベル調整処理が行われる。続いて、メインＣＰＵ６２は撮像スイッチ１１４の最終押下状態を監視する。撮像スイッチ１１４が全押しされると、所定の同期信号に基づいてＣＣＤ３０の蓄積電荷が撮像信号処理部３２へ掃き出される。その後、静止画撮影モードのときと同様な処理を経てデジタル画像データが順次第１記録媒体７６または第２記録媒体１４６へ記録される。このとき、同時に音声取得ユニット１３０が取得した音声データが順第１記録媒体７６または第２記録媒体１４６へ記録される。動画を記録している間、メインＣＰＵ６２は、撮像スイッチ１１４の中途押下状態を監視する。中途押下状態が検出されると、メインＣＰＵ６２は動画および音声の記録を停止する。
【００６５】
デジタルカメラ１０が動画再生または音声再生に使用されるとき、メインＣＰＵ６２は、リモコン操作ユニット１１１から伝達されるユーザの指示に基づいて第１記録媒体７６または第２記録媒体１４６から動画データまたは音声データを読み出す。動画データの場合は、データフォーマットに応じて圧縮伸張処理部７８、ＹＣ処理部７０、および音声出力部９４で必要な処理を施された後、画像が表示ユニット１００のＬＣＤモニタ１０２へ表示され、音声がヘッドホン接続端子９６またはスピーカー９８に出力される。
【００６６】
（オーディオ操作モード）
デジタルカメラ１０が音楽再生に使用されるとき、メインＣＰＵ６２は、リモコン操作ユニット１１１から伝達されるユーザの指示に基づいて第１記録媒体７６または第２記録媒体１４６から音楽データを読み出す。音楽データは、音声出力部９４で必要な処理を施された後、画像が表示ユニット１００のＬＣＤモニタ１０２へ表示され、音声がヘッドホン接続端子９６またはスピーカー９８に出力される。ユーザーは、撮像スイッチ１１４、機能設定部１１６、データ選択スイッチ１１９を介して、「再生」、「停止」、「早送り」、「巻き戻し」、「反転」、「一時停止」などの指示を伝達し、所望の情報を再生することができる。
【００６７】
図４は、本発明のある実施形態に係るオーディオ機能付デジタルカメラの外観を示す。本実施形態のデジタルカメラ１０は、オーディオ機能を有するデジタルカメラである。このデジタルカメラ１０は、カメラ本体１１とリモコン１３を有する。カメラ本体１１はリモコン１３によりオーディオ操作およびカメラ操作が可能である。リモコン１３は、カメラ操作をするためのオーディオ操作をするためのオーディオ操作モードとカメラ操作モードとに切り替えが可能である。
【００６８】
カメラ本体１１は、本体スロット１４０およびリモコン装着検出部１３８を有する。本体スロット１４０には、第１記録媒体７６が挿入可能である。本体スロット１４０の開口部には蓋（図示せず）が設けられており、第１記録媒体７６が本体スロット１４０に挿入されると蓋が閉まり、第１記録媒体７６がカメラ本体１１の外部から直接は取り出せなくなる。これにより、第１記録媒体が容易に取り外されることが防がれる。特に、画像撮像中において、第１記録媒体にアクセス中に第１記録媒体が取り外されることが防がれる。
【００６９】
リモコン装着検出部１３８は、カメラ本体１１へのリモコン１３の装着を検出する。
【００７０】
一方リモコン１３には、第２記録媒体１４６を挿入するためのリモコンスロット１４８およびリモコン１３の装着の検出に用いられるリモコン突起部１３６が設けられている。
【００７１】
リモコン１３により、カメラ本体１１の操作が可能である。カメラ本体１１とリモコン１３は、リモコンケーブル１４９で接続されてもよい。この場合は、リモコンケーブル１４９で接続されていることにより、リモコン１３の紛失を防ぐことができる。また、カメラ本体１１は、リモコン１３によりワイヤレスで操作可能であってもよい。この場合は、ケーブル配線を気にしなくて済むので携帯性に優れる。
【００７２】
図５は、リモコンをカメラ本体に取り付けた状態のある形態を示す。リモコン１３は、カメラ本体１１のファインダ３４のある面の右上にくる位置に装着される。さらに、リモコン１３の有する撮像スイッチ１１４が、ファインダ３４のある面から見て上面右の位置にある。ヘッドホン接続端子９６は、リモコン１３をカメラ本体に装着したとき外部に露出する位置にあるので、リモコン１３を装着した状態でも、リモコン１３が有するヘッドホン接続端子９６を使用できる。
【００７３】
図６は、カメラ本体へのリモコンの装着を検知する、ある機構を示す。カメラ本体１１が有するリモコン装着検出部１３８は、カメラ本体１１へのリモコン１３の装着による、リモコン１３が有するリモコン突起部１３６の接触を感知すると、リモコン検出信号をメインバス８２を介して、メインＣＰＵ６２に送信する。なお、リモコン１３の装着の検出は、本実施形態のほか、光学センサを用いた光学式検出方法、または磁気を用いた磁気的検出方法でもよい。
【００７４】
図７は、リモコンをカメラ本体に取り付けた状態の別の形態を示す。この形態においても、リモコン１３は、カメラ本体１１のファインダ３４のある面の右上にくる位置に装着される。さらに、リモコン１３の有する撮像スイッチ１１４が、ファインダ３４のある面から見て上面右の位置にある。画像の長手方向を縦にして撮像される場合は、カメラの向きを反時計回りに９０度変えて撮像される。この場合、撮像スイッチ１１４の位置が固定されているため、通常の画像の長手方向を横にして撮像する場合とは、撮影者の手および指の姿勢が変わってしまうのが普通である。しかし、本実施形態によれば、撮像時の画像の長手方向の向きによらず、同じ手および指の姿勢で撮像することができ、撮像の操作性が向上する。
【００７５】
図８は、操作モードの自動選択、および記録媒体の自動選択のフローチャートを示す。最初に、カメラ本体１１にリモコン１３が装着されているか判断する（Ｓ１０）。リモコン装着検出部１３８により、カメラ本体１１にリモコン１３が装着されていることが検出されるとカメラ操作モードに切り替わる（Ｓ２０）。リモコン１３が装着されていないと、オーディオ操作モードに切り替わる（Ｓ３０）。
【００７６】
カメラ操作モードでは、第１記録媒体７６が装着されているか判断される（Ｓ４０）。第１記録媒体７６が装着されている場合には、第１記録媒体７６を使用する（Ｓ５０）。第１記録媒体７６が装着されていない場合には、第２記録媒体１４６が装着されているか判断される（Ｓ６０）。第２記録媒体１４６が装着されている場合には、第２記録媒体１４６を使用する（Ｓ７０）。
【００７７】
一方、オーディオ操作モードでは、第２記録媒体１４６が装着されているか判断される（Ｓ８０）。第２記録媒体１４６が装着されている場合には、第２記録媒体１４６を使用する（Ｓ９０）。第２記録媒体１４６が装着されていない場合には、第１記録媒体７６が装着されているか判断される（Ｓ１００）。第１記録媒体７６が装着されている場合には、第１記録媒体７６を使用する（Ｓ１１０）。
【００７８】
リモコン１３がカメラ本体１１に装着されているときには、カメラ操作を行うことが多いことや、カメラ操作においては、カメラ本体１１が有する第１記録媒体７６を使用することが多いので、上記のような操作モードおよび記録媒体の自動選択により、操作性が向上する。なお、操作モードおよび記録媒体が自動選択された後に、手動により操作モードおよび記録媒体の選択をすることができる。
【００７９】
図９は、カメラ本体１１、およびリモコン１３の電源ユニットの概略を示す。カメラ本体１１は第１電源ユニット１５０を有し、リモコン１３は第２電源ユニット１５６を有する。第１電源ユニット１５０は、第１電池１５２および充電装置１５４を有する。第２電源ユニット１５６は、第２電池１５８を有する。
【００８０】
充電装置１５４は、第２電池１５８の電圧が、第１電池１５２の電圧より低いとき、第１電池１５２から第２電池１５８に電力を供給する。
【００８１】
これにより、第２電池１５８の電圧が十分でないときでも、第１電池１５２に十分な電圧が確保されていれば、第２電池１５８に電力が供給されるのでリモコン１３によるデジタルカメラ１０の操作が行える。
【００８２】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００８３】
【発明の効果】
上記説明から明らかなように、本発明によればコンパクトで操作性にすぐれたリモコンにより、カメラ操作とオーディオ操作が可能なデジタルカメラを提供することができる。
【図面の簡単な説明】
【図１】  本発明のある実施形態に係るオーディオ機能付デジタルカメラの全体の構成を示すブロック図である。
【図２】  リモコンが有するリモコン操作ユニットの構成を示すブロック図である。
【図３】  リモコン操作ユニットが有する共通操作部材の、オーディオ操作モードおよびカメラ操作モードにおける機能の例を示す図である。
【図４】  本発明のある実施形態に係るオーディオ機能付デジタルカメラの外観を示す図である。
【図５】  リモコンをカメラ本体に取り付けた状態のある形態を示す図である。
【図６】  カメラ本体へのリモコンの装着を検知する、ある機構を示す図である。
【図７】  リモコンをカメラ本体に取り付けた状態の別の形態を示す図である。
【図８】  操作モードの自動選択、および記録媒体の自動選択のフローチャートを示す図である。
【図９】  カメラ本体、およびリモコンの電源ユニットの概略を示すブロック図である。
【符号の説明】
１０      デジタルカメラ
１１      カメラ本体
１３      リモコン
７６      第１記録媒体
１１１      リモコン操作ユニット
１１４      撮像スイッチ
１４６      第２記録媒体
【図１】
0004226188.tif 000002
【図２】
0004226188.tif 000003
【図３】
0004226188.tif 000004
【図４】
0004226188.tif 000005
【図５】
0004226188.tif 000006
【図６】
0004226188.tif 000007
【図７】
0004226188.tif 000008
【図８】
0004226188.tif 000009
【図９】
0004226188.tif 000010